(57)【要約】  本発明は、種卵自体および／または種卵における胚の特性を特定可能な、種卵（２）を検査するための装置（１）に関する。このために、互いに離隔されて配置された種卵を有する支持体（３）が、電磁波用の照射源（４）と、ハイパースペクトルカメラ（５）との間に配置されており、支持体（３）はさらに、種卵を配置しかつ電磁波を不透過に結合する区画を有する。種卵の間には分離壁（７）が設けられている。電磁波用の照射源（４）およびハイパースペクトルカメラ（５）はデータ処理システム（６）に接続されており、データ処理システム（６）により、ハイパースペクトルカメラの画像から卵画像が特定され、それぞれの卵画像に、ハイパースペクトルデータと、支持体におけるそれぞれの種卵とが対応付けられる。
2021516982.tif 000002
【特許請求の範囲】
【請求項１】
種卵（２）を検査するための装置（１）において、
互いに離隔されて配置された種卵（２）を有する支持体（３）が、電磁波用の照射源（４）と、ハイパースペクトルカメラ（５）との間に配置されており、
前記支持体（３）は、前記種卵（２）を配置しかつ前記電磁波を不透過に結合する区画を有し、
前記種卵（２）の間には分離壁（７）が設けられており、
電磁波用の前記照射源（４）および前記ハイパースペクトルカメラ（５）はデータ処理システム（６）に接続されており、前記データ処理システム（６）により、前記ハイパースペクトルカメラ（５）の画像から卵画像が特定され、それぞれの前記卵画像に、ハイパースペクトルデータと、前記支持体（３）におけるそれぞれの前記種卵（２）の位置とが対応付けられる、
ことを特徴とする、種卵（２）を検査するための装置（１）。
【請求項２】
前記支持体（３）において、少なくとも、前記種卵（２）によって取り囲まれている前記種卵（２）は、筒状に配置されている分離壁（７）によって取り囲まれており、これにより、少なくとも、前記種卵（２）は、断面において四角形の空間を画定する４つの分離壁（７）の間に存在する、ことを特徴とする、請求項１記載の装置。
【請求項３】
前記電磁波は、それぞれ両端の値を含めて３００ｎｍ〜１，０００ｎｍの範囲の波長を有する、ことを特徴とする、請求項１記載の装置。
【請求項４】
前記データ処理装置（６）は、平均のグレイ値または平均の色値にしたがって前記卵画像を分類するデータ処理システム（６）である、ことを特徴とする、請求項１記載の装置。
【請求項５】
前記データ処理装置（６）は、平均のスペクトルまたは複数の個別スペクトルにしたがって前記卵画像を分類するデータ処理システム（６）であり、
それぞれのスペクトルは、それぞれ両端の値を含めて３００ｎｍ〜１，０００ｎｍの範囲のｎ個の値によって特徴づけられている、
ことを特徴とする、請求項１記載の装置。
【請求項６】
搬送方向に見て、種卵（２）を検査するための前記装置（１）の後ろに、少なくとも１つの種卵（２）を搬送する少なくとも１つの機構（１２）が配置されており、前記機構（１２）により、検査の結果ひいては特性に対応して、それぞれの前記種卵（２）が、前記特性に対応付けられている収容部に供給され、
検査のための前記装置（１）および前記種卵（２）を搬送する前記機構は、前記データ処理システム（６）に接続されており、これにより、種卵（２）を検査するための前記装置（１）と、前記種卵（２）を搬送する前記機構（１２）と、前記データ処理システム（１）とは、生育する胚にしたがって種卵（２）を評価して選別するための設備（９）である、
ことを特徴とする、請求項１記載の装置。
【請求項７】
前記支持体（３）は、貫通式の搬送ベルト（１０）または前記分離壁（７）を有しかつ個々の区画から構成されている搬送ベルト（１０）であり、
前記搬送ベルト（１０）は、少なくとも、種卵（２）の領域に開口部を有するか、または少なくとも、前記種卵（２）の領域において、前記電磁波に対して透過な材料から構成されている、
ことを特徴とする、請求項１記載の装置。
【請求項８】
種卵（２）は、前記搬送ベルト（１０）において、互いに離隔されて配置された、種卵（２）の複数の行を有する複数のグループに配置されており、
搬送方向に見て、種卵を検査するための前記装置（１）の後ろには、種卵（２）の前記グループの、未受精の種卵（２）を識別するために、死んだ胚を有する種卵（２）識別するために、極めて微生物汚染された種卵（２）を識別するために、かつ／または生育する胚の性別を識別するために、前記種卵（２）を当該種卵（２）の識別に対応して搬送する少なくとも１つの機構（１２）が配置されており、
前記機構（１２）は、前記グループの前記種卵（２）の個数および位置に対応するホルダを有し、
前記機構（１２）および前記ホルダは、前記データ処理システム（６）に接続されており、これにより、１つのグループの選別された前記種卵（２）は、少なくとも１つの搬送装置（１３）および／または容器（１４）に供給される、
ことを特徴とする、請求項１および７記載の装置。
【請求項９】
前記搬送ベルト（１０）には、種卵（２）を供給する装置（１１）が前置されており、
種卵（２）を供給する前記装置（１１）は、ベルトコンベヤとして、相前後して並べられた行に配置された卵ホルダおよび／または特定の個数の種卵（２）を備えた抱卵台を有し、
前記ベルトコンベヤと、ベルトコンベヤとして構成されている前記搬送ベルトとは、前記種卵（２）が、供給する前記装置から、機構によって取り除かれ、ベルトコンベヤとした構成されている前記搬送ベルトに、しかも分離壁（７）によって構成されているセルに移送されるように互いに位置決めされている、
ことを特徴とする、請求項７および８記載の装置。
【請求項１０】
電磁波用の前記照射源（４）は、ベルトコンベヤとして構成されている前記搬送ベルト（１０）の駆動ドラム間に設けられている、ことを特徴とする、請求項１および７記載の装置。
【請求項１１】
前記装置（１）は、５日以上の孵卵日数、１０日以上の孵卵日数および／または１６日以上の孵卵日数の種卵（２）を検査するための装置（１）である、ことを特徴とする、請求項１記載の装置。
【発明の詳細な説明】
【技術分野】
【０００１】
本発明は、種卵を検査するための装置に関する。
【０００２】
特に鳥の飼育および繁殖には、殊に性別を特定することが極めて重要である。この際には特に動物保護を順守し、十分に動物への負荷がないようにする必要がある。
【０００３】
刊行物独国特許出願公開第１０２００７０１３１０７号明細書により、鳥の性別を特定する方法が開示されており、ここでは、鳥の新しい羽の軸からＤＮＡに関連する細胞物質が検査される。光の照射によって生じるスペクトルは、基準スペクトルと比較され、これにより、鳥の性別分類を行うことが可能である。
【０００４】
刊行物独国特許発明第１０２０１０００６１６１号明細書により、受精されておりかつ孵化しない鳥の卵の性別を特定する方法および装置が公知であり、卵は、固体の卵殻と、卵殻および別の胚膜によって覆われている卵黄と、卵黄に対応付けられている杯盤とを有する。ここでは、卵殻における孔を通し、杯盤細胞を有する杯盤の方向に、スペクトルを測定するプローブが導入される。このプローブにより、杯盤細胞が分光分析で検査され、スペクトルが分類される。性別を特定するためには相当なコストが必要であり、卵殻に穿孔しなければならない。
【０００５】
刊行物欧州特許第２３３６７５１号明細書には、鳥の卵の性別を特定する方法が示されており、ここでは、ビーム源により、孵化しない卵の杯盤に電磁ビームが放射され、ビーム源を遮断した後、杯盤の照射された領域において、電磁ビームによって励起された自己蛍光強度の減衰特性が、自己蛍光の少なくとも１つの波長について、検出器を用い、時間分解およびスペクトル分解で検出される。ここからそれぞれの卵が雌であるかまたは雄であるかが評価される。
【０００６】
請求項１に記載した本発明の根底にある課題は、種卵を分析し、これにより、種卵自体および／または種卵における胚の特性を特定することである。
【０００７】
この課題は、請求項１に示した特徴的構成によって解決される。
【０００８】
種卵を検査するためのこの装置は、特に、種卵自体および／または種卵における胚の特性を特定できるという特徴を有する。
【０００９】
このために、互いに離隔されて配置された種卵を有する支持体が、電磁波用の照射源と、ハイパースペクトルカメラとの間に配置されており、支持体はさらに、種卵を配置しかつ電磁波を不透過に結合する区画を有する。種卵の間には分離壁が設けられている。電磁波用の照射源およびハイパースペクトルカメラはデータ処理システムに接続されており、このデータ処理システムにより、ハイパースペクトルカメラの画像から卵画像が特定され、それぞれの卵画像に、ハイパースペクトルデータと、支持体におけるそれぞれの種卵の位置とが対応付けられる。
【００１０】
種卵は、鳥の卵、特に孵化される鶏卵である。
【００１１】
本発明の有利な実施形態は、請求項２〜１１に示されている。
【００１２】
請求項２による発展形態によれば、支持体において、少なくとも、種卵によって取り囲まれている種卵は、筒状に配置されている分離壁によって取り囲まれており、これにより、少なくとも、これらの種卵は、断面において四角形の空間を画定する４つの分離壁の間に存在する。このことが意味するのは、縁部に配置されている種卵は、外側に向かって分離壁を有する必要がないことである。
【００１３】
請求項３による発展形態によれば、電磁波は、それぞれ両端の値を含めて３００ｎｍ〜１，０００ｎｍの範囲の波長を有する。
【００１４】
請求項４による発展形態によれば、データ処理システムは、平均のグレイ値または平均の色値にしたがって卵画像を分類するデータ処理システムである。これは、ＲＧＢ空間またはＨＳＶ空間にしたがって行われていてよい。ＲＧＢ色空間は、公知のように、３つの基本色（赤、緑、青）の加色混合を再現する加色色空間である。ＨＳＶ色空間では、公知のように、色相（hue）、彩度（saturation）および明度値（value）の座標によって色の色位置が定められる。
【００１５】
請求項５による発展形態によれば、データ処理システムは、平均のスペクトルまたは複数の個別スペクトルにしたがって卵画像を分類するデータ処理システムであり、それぞれのスペクトルは、それぞれ両端の値を含めて３００ｎｍ〜１，０００ｎｍの範囲のｎ個の値によって特徴づけられている。
【００１６】
請求項６による発展形態によれば、搬送方向に見て、種卵を検査するための装置の後ろに、少なくとも１つの種卵を搬送する少なくとも１つの機構が配置されており、この機構により、検査ひいては特性に対応して、それぞれの種卵が、特性に対応付けられている収容部に供給される。さらに種卵を検査するための装置および種卵を搬送する機構は、データ処理システムに接続されており、これにより、種卵を検査するための装置と、種卵を搬送する機構と、データ処理システムとは、生育する胚にしたがって種卵を評価して選別する設備である。
【００１７】
請求項７による発展形態によれば、支持体は、貫通式の搬送ベルトまたは分離壁を有しかつ個々の区画からなる搬送ベルトであり、この搬送ベルトはさらに、少なくとも、種卵の領域に開口部を有するか、または少なくとも、種卵の領域において、電磁波に対して透過な材料から構成されている。
【００１８】
請求項８による発展形態によれば、種卵は、搬送ベルトにおいて、互いに離隔されて配置された、種卵の複数の行を有する複数のグループに配置されている。搬送方向に見て、種卵を検査するための装置の後ろには、種卵のグループの、未受精の種卵を識別するために、死んだ胚を有する種卵を識別するために、極めて微生物汚染された種卵を識別するために、かつ／または生育する胚の性別を識別するために、種卵をその識別に対応して搬送する少なくとも１つの機構が配置されている。この機構は、グループの種卵の個数および位置に対応するホルダを有する。さらにこの機構およびホルダは、データ処理システムに接続されており、これにより、１つのグループの選別された種卵は、少なくとも１つの搬送装置および／または容器に供給される。
【００１９】
請求項９の発展形態によれば、搬送ベルトには、種卵を供給する装置が前置されており、この種卵を供給する装置は、ベルトコンベヤとして、相前後して並べられた行に配置された卵ホルダおよび／または特定の個数の種卵（２）を備えた抱卵台を有していてよい。ベルトコンベヤと、ベルトコンベヤとして構成されている搬送ベルトとは、種卵が、供給する装置から、機構によって取り除かれ、ベルトコンベヤとして構成されている搬送ベルトに、しかも分離壁によって構成されているセルに移送されるように互いに位置決めされている。
【００２０】
請求項１０の発展形態によれば、電磁波用の照射源は、ベルトコンベヤとして構成されている搬送ベルトの駆動ドラム間に設けられている。
【００２１】
請求項１１の発展形態によれば、上記の装置は、５日以上の孵卵日数、１０日以上の孵卵日数および／または１６日以上の孵卵日数の種卵を検査するための装置である。上記の装置の一実施形態は、１６日以上の孵卵日数の種卵を検査するための装置であってよく、
・互いに離隔されて配置された種卵を有する支持体が、電磁波用の照射源と、ハイパースペクトルカメラとの間に配置されており、
・支持体は、種卵を配置しかつ電磁波を不透過に結合する区画を有し、
・種卵の間には分離壁が設けられており、
・電磁波用の照射源およびハイパースペクトルカメラはデータ処理システムに接続されており、このデータ処理システムより、ハイパースペクトルカメラの画像から卵画像が特定され、それぞれの卵画像に、ハイパースペクトルデータと、支持体におけるそれぞれの種卵の位置とが対応付けられる。
【図面の簡単な説明】
【００２２】
本発明の一実施例を複数の図面においてそれぞれ原理的に描画し、以下で詳しく説明する。
【図１】種卵を検査するための装置を示す図である。
【図２】支持体の平面図である。
【図３】種卵を評価して選別するための設備を示す図である。
【図４】種卵における胚の性別にしたがって、種卵を評価して選別するための設備を示す図である。
【００２３】
種卵２を検査するための装置１は実質的に、種卵２を有する支持体３と、電磁波用の照射源４と、ハイパースペクトルカメラ５と、データ処理システム６とから構成される。
【００２４】
図１には、種卵２を検査するための装置１が原理図で示されている。
【００２５】
種卵２を検査するために、支持体３には種卵２が互いに離隔されて配置されている。このために支持体３は、種卵２を配置しかつ電磁波を不透過に結合する区画を有する。
【００２６】
図２には、支持体３が原理的な平面図で示されている。
【００２７】
種卵２の間には、分離壁７が設けられている。少なくとも、支持体３の縁部に配置されている種卵２を除いて、種卵２は、筒状に配置されている少なくとも１つの分離壁７によって取り囲まれている。縁部における複数の種卵２は、少なくとも、互いにのみ仕切られている。図２には、これについて、１つずつの種卵２についての場所８だけが略示されている。
【００２８】
支持体３は、検査のために、それぞれ両端の値を含めて３００ｎｍ〜１，０００ｎｍの範囲の波長を有する電磁波用の照射源４と、ハイパースペクトルカメラ５との間に配置されている。これらは、さらにデータ処理システム６に接続されており、データ処理システム６により、ハイパースペクトルカメラ５の画像から卵画像が特定され、それぞれの卵画像に、ハイパースペクトルデータと、支持体３におけるそれぞれの種卵２の位置とが対応付けられる。ここでは分類が行われ、卵画像は、
・平均のグレイ値または平均な色値にしたがって分類され、かつ／または
・平均のスペクトルまたは複数の個別スペクトルにしたがって分類され、ここでは、それぞれのスペクトルは、それぞれ両端の値を含めて３００ｎｍ〜１，０００ｎｍの範囲のｎ個の値によって特徴付けられている。
【００２９】
図３には、種卵２を評価して選別するための設備が、原理図で示されている。
【００３０】
種卵２を評価して選別するための装置を構成する一実施形態では、搬送方向に見て、種卵２を検査するための装置１の後ろに、少なくとも１つの種卵２を搬送する少なくとも１つの機構１２が、選別のための設備９の一構成部分として配置されており、機構１２により、検査の結果ひいては特性に対応して、この特性に対応付けられている収容部にそれぞれの種卵２が供給される。支持体３は、このために、貫通式の搬送ベルト１０または分離壁７を備えた個別の区画から成るベルトコンベヤ１０である。搬送ベルト１０は、少なくとも、種卵２の領域に開口部を有するか、または少なくとも、種卵２の領域において、電磁波に対して透過な材料から構成されている。搬送ベルト１０には、種卵２を供給する装置１１が前置されており、種卵２を供給する装置１１は、ベルトコンベヤとして、相前後して並べられた行に配置された卵ホルダおよび／または特定の個数の種卵２を備えた抱卵台を有していてよい。このベルトコンベヤと、ベルトコンベヤとして構成されている搬送ベルト１０とは、種卵２が、供給する装置１１から、機構によって取り除けられ、ベルトコンベヤとして構成されている搬送ベルト１０に、しかも分離壁７によって構成されているセルに移送されるように互いに位置決めされている。種卵２を搬送する機構１２である搬送ベルトの駆動器は、データ処理システム６に接続されている。
【００３１】
図４には、種卵２における胚の性別にしたがって種卵２を評価して選別するための設備が示されている。
【００３２】
検査をするための装置１を備えた、評価して選別するための設備のこの実施形態では、種卵２における胚の性別に対応して種卵２を選別可能である。検査をするための装置１には、種卵２を供給する装置１１が前置されており、この種卵２を供給する装置１１は、搬送ベルトとして、相前後して並べられた行に配置された卵ホルダを有する。これには搬送ベルト１０が後置されており、この搬送ベルト１０は、少なくとも、種卵２の領域に開口部を有するか、または少なくとも、種卵２の領域において、電磁波に対して透過な材料から構成されている。このベルトコンベヤと、ベルトコンベヤとして構成されている搬送ベルト１０とは、種卵２が、供給する装置１１から、機構によって取り除けられ、ベルトコンベヤとして構成されている搬送ベルト１０に、しかも分離壁７によって構成されているセルに移送されるように互いに位置決めされている。このために種卵２は、搬送ベルト１０において、互いに離隔されて配置された複数の、種卵２の行を有する複数のグループに配置されている。検査のための装置１により、１つのグループの種卵２には、照射源４の電磁波が加えられ、ハイパースペクトルカメラ５によって、このグループの種卵２がイメージングされる。搬送方向に見て、１つのグループの種卵２を検査するための装置１の後ろには、種卵２のこのグループの、未受精の種卵を識別するために、死んだ胚を識別するために、極めて微生物汚染された種卵を識別するために、かつ／または生育する胚の性別を識別するために、少なくとも、種卵２をその識別に対応して搬送する機構１２が配置されている。この機構１２は、このグループの種卵２の個数および位置に対応するホルダを有することができ、機構１２およびホルダは、データ処理システム６に接続されている。これにより、１つのグループの選別された種卵２を搬送装置１３および少なくとも１つの容器１４に供給可能である。このために、種卵２において生育する雌の胚用の搬送装置１３と、種卵において生育する雄の胚用の別の搬送装置１３とが設けられている。容器１４は特に、未受精の種卵２と、死んだ胚を有する種卵２と、極めて微生物汚染された種卵２とを収容する。搬送装置１３の駆動器は、データ処理システム６に接続されている。
【図１】
2021516982.tif 000003
【図２】
2021516982.tif 000004
【図３】
2021516982.tif 000005
【図４】
2021516982.tif 000006
【国際調査報告】
2021516982.tif 000007
2021516982.tif 000008
2021516982.tif 000009
2021516982.tif 000010
2021516982.tif 000011
2021516982.tif 000012